(57)【特許請求の範囲】
【請求項１】
室内消毒のために１０μｍ未満の平均液滴大きさを有する霧状の、ポリマー含有活性成分を有する水性の消毒剤を、超音波技術によって室内に排出する方法であって、
前記消毒剤は、前記消毒剤の表面下で僅かに振動する、少なくとも１つの超音波によって振動する膜を用いて先に噴霧化された後、噴霧化された前記消毒剤は空気をキャリア媒体として用いて室内に排出され、
前記噴霧化された消毒剤は空気をキャリア媒体として用い、少なくとも１つのファンを用いて室内に排出され、
１０μｍ未満の平均液滴大きさを有する噴霧化された消毒剤はファンを用いて煙突を通して排出され、
前記煙突の高さおよび噴霧化された消毒剤の流速を、１０μｍ未満の平均液滴直径を有する消毒剤を排出し、１０μｍ以上の液滴直径を有する消毒剤は、重力によって装置内に残留し再び噴霧化されるように、設定することを特徴とする方法。
【請求項２】
前記消毒剤が、＞１ＭＨｚの周波数を有する超音波によって振動する膜を用いて噴霧化されることを特徴とする、請求項１に記載の方法。
【請求項３】
前記消毒剤は、プラスチック、セラミック、石英または金属で製造された少なくとも１つの超音波によって振動する膜を用いて噴霧化されることを特徴とする、請求項１または２に記載の方法。
【請求項４】
前記消毒剤は噴霧化する前または後に加熱されることを特徴とする、請求項１〜３のいずれか１項に記載の方法。
【請求項５】
噴霧化された前記消毒剤は少なくとも１つの追加のファンを用いて室内に分布されることを特徴とする、請求項１〜４のいずれか１項に記載の方法。
【請求項６】
室内消毒のために１０μｍ未満の平均液滴大きさを有する霧状の、ポリマー含有活性成分を有する水性消毒剤を超音波技術によって室内に排出するための装置であって、
前記水性消毒剤を収容する容器、
前記水性消毒剤の表面下で僅かに振動して水性消毒剤を噴霧化する少なくとも１つの超音波によって振動する膜、および
噴霧化された前記水性消毒剤を室内に排出する少なくとも１つのファン
を含み、
噴霧化された水性消毒剤用容器の出口を形成する少なくとも１つの煙突が容器に設けられ、
前記煙突の高さおよび噴霧化された前記水性消毒剤の流速が、１０μｍ未満の平均液滴直径を有する水性消毒剤を排出し、１０μｍ以上の液滴直径を有する水性消毒剤は、重力によって装置内に残留し再び噴霧化されるように、設定されていることを特徴とする装置。
【請求項７】
噴霧化された水性消毒剤用容器の出口を形成し、またその末端がノズルを場合に応じて備える伸縮性チューブが容器に属することを特徴とする、請求項６に記載の装置。
【発明の詳細な説明】
【技術分野】
【０００１】
本発明は、室内消毒のために１０μｍ未満の平均液滴大きさを有する霧状の水性ポリマー性消毒剤を超音波技術によって室内に排出する方法および装置に関する。
【先行技術文献】
【特許文献】
【０００２】
【特許文献１】ＷＯ  ２０１２／０４１９１０  Ａ１号
【特許文献２】ＵＳ  ２０１１／２８４６５８  Ａ号
【特許文献３】ＥＰ  １  ７８７  ５１１  Ａ号
【特許文献４】ＤＥ  １９７  １３  ４９６  Ａ１号
【背景技術】
【０００３】
本発明の技術的目的は室内、室内空気および室内に存在する表面の３次元消毒のためにポリマー含有活性成分を有する水性消毒剤を霧状（ｍｉｓｔ）で室内に排出することであり、前記液滴大きさは平均１０マイクロメーター未満であり、また前記消毒剤は噴霧化（ａｔｏｍｉｚｅｄ）される。例えば、ＣＡＳ  ３７４５７２−９１−５、ＣＡＳ  ５７０２８−９６−３、ＣＡＳ  ２７０８３−２７−８、ＣＡＳ  ３２２８９−５８−０（ＰＨＭＢ）などのような水性ポリマー性消毒剤は圧縮された空気およびノズルによって前記目的のために室内に噴霧化される。
【０００４】
前記目的のために、微生物を致死させるために主に１０μｍ未満の液滴大きさを有する水性ポリマー含有グアニジニウム化合物を室内に排出することが公知されている（特許文献１）。この場合、前記噴霧化および排出は１８０００〜３００００Ｈｚの周波数で振動する音波式ガスを用いてノズルで実施される。通常の噴霧器（ａｔｏｍｉｚｅｒ）ノズルとは対照的に、前記音波式ガスおよび水性ポリマー含有グアニジニウム溶液はノズルの外に出る前には互いに会わない。緩やかな（ｓｌｕｇｇｉｓｈ）溶液を適切に大きなボアホール（ｂｏｒｅｈｏｌｅ）を通して輸送するためには１−３ｂａｒの液体圧力が充分である。１８０００〜３００００Ｈｚの周波数で振動する前記音波式ガスは水性ポリマー含有グアニジニウム化合物を顕微鏡的に小さい粒子に破砕する。したがって、前記噴霧化は比較的に高費用で実施され、また前記音波式ガスによって無視できない背景音を有する。
【０００５】
液体を噴霧化するための膜を励起させるピエゾ（ｐｉｅｚｏ）元素を有するエアロゾル発生器は（特許文献２）に開示されている。この場合、排出される流体は底部から貫通膜に供給され、前記膜において直接噴霧化された後に周辺に伝えられる。噴霧化される流体は特にウィック（ｗｉｃｋ）を用いて底部から貫通膜に通過し、また前記膜において直接噴霧化される。これと類似する種類が（特許文献３）にも公知されている。排出される液体は膜の下方の容器に配列され、また、一種のウィックを通して底部から膜上に導入され、その上で直接噴霧化される。
【０００６】
空気加湿のための水の噴霧化において、超音波系のピエゾセラミック振動器の使用は、例えば、水ミストを生成するために用いられるように圧電セラミック（ｐｉｅｚｏｅｌｅｃｔｒｉｃ）振動器の鉱物−およびライム（ｌｉｍｅ）−堆積のない作業のための方法および装置を開示した（特許文献４）に公知されている。前記文献の示唆点によれば、グリセロール／水系の輸送液体が圧電セラミック振動器とプラスチック（ポリエチレン）で製造された受動膜との間に導入され、噴霧化のために存在する水からアクチュエータ（ａｃｔｕａｔｏｒ）を分離させる。
【発明の概要】
【発明が解決しようとする課題】
【０００７】
前記で記述した類型の従来技術から、本発明の目的は水性消毒剤が霧状で室内に排出される程度で室内を消毒および／または脱臭するためにポリマー含有活性成分を有する水性消毒剤を例えば優しくて省エネルギー方式で排出するための方法および装置を改善することであり、また、前記装置は輸送するのに特に簡単でなければならない。
【課題を解決するための手段】
【０００８】
本発明は、前記消毒剤が流体表面下で僅かなセンチメートルで振動する少なくとも１つの超音波膜を用いて先に噴霧化された後、前記噴霧化された水性ポリマー含有消毒剤は空気をキャリア媒体として用いて室内に排出されるという点で関心を持っている目的を達成する。
【０００９】
したがって、水性ポリマー性消毒剤が超音波膜によって噴霧化されることが本発明に必須である。その結果、前記装置をほぼ無音で動作させることができ、この時、噴霧化のために比較的に少ないエネルギーの投入だけが必要であるように保障される。
【００１０】
前記噴霧化された消毒剤は空気をキャリア媒体として用い、少なくとも１つのファン（ｆａｎ）を用いて室内に排出される。前記消毒剤ミストは噴霧化装置の噴霧化空間を通してファンによって輸送された空気によって消毒のために噴霧化装置から排出される。
【００１１】
グアニジン含有ポリマー含有消毒剤が超音波膜を用いて噴霧化される時、前記消毒剤は、好ましくは＞１ＭＨｚ、特に約１．７ＭＨｚの周波数を有し、プラスチック、石英、セラミックまたは金属で製造された少なくとも１つの超音波膜を用いて好ましくは噴霧化されるのが有利である。冷蔵庫、自動車などのように比較的に小さい空間に対しては単一膜装置が好適である反面、病室、厨房、喫煙室、居間、貨物運送用コンテナー、工業用換気装置、救急車などのように比較的に大型空間用としては、好ましくは多重膜（ｍｕｌｔｉｍｅｍｂｒａｎｅ）装置が用いられる。
【００１２】
類似するように、液体消毒剤は噴霧化する前または後に加熱されるのが有利である。所望の液滴大きさの温度制御された消毒剤の排出は従来技術で公知された圧縮空気方法と比較して多くの利点を持つ。特に、前記消毒剤の液滴大きさにある低飛散（ｌｏｗ  ｓｃａｔｔｅｒｉｎｇ）性の微細消毒剤が生成されることができる。
【００１３】
前記噴霧化された消毒剤は少なくとも１つの追加のファンを用いて室内に分布できる。室内のファン装置は生成された溶液の均一な分布を可能にする。空調装置、換気装置またはその他の導管またはチャネルのような従来のファンを有する室内においては追加のファンが必要でない。
【００１４】
少なくとも１回の処理周期の間、噴霧化出力および平均液滴大きさを可能な限り一定に維持するために、前記消毒剤は輸送機器によって少なくとも１つの超音波膜を有する容器を通して貯蔵器から循環することが提案され、前記膜上の水性消毒剤の量は持続的に一定に維持される。１０μｍ未満の平均液滴大きさを有する噴霧化された消毒剤が煙突を通してファンを用いて排出される時に過度な大きさを有する液滴の排出が防止される。１０μｍ未満の平均液滴大きさを有する消毒剤だけが煙突を通過できる。より大きい液滴は流動速度および  煙突の高さに応じて重力によって前記装置内に残留し再び噴霧化される。
【００１５】
室内消毒のために、１０μｍ未満の平均液滴大きさを有する霧状の水性ポリマー性消毒剤を超音波技術によって室内に排出するための本発明による装置は、水性消毒剤を収容する容器、流体表面下で僅かなセンチメートルで振動して水性消毒剤を噴霧化する少なくとも１つの超音波膜、および前記噴霧化された水性消毒剤を室内に排出する少なくとも１つのファンを含む。
【００１６】
前記容器は、特に少なくとも１つの膜を通して前記水性消毒剤の最大充填高さを制限するオーバフロー（ｏｖｅｒｆｌｏｗ）、前記水性消毒剤用貯蔵器、および前記水性消毒剤を貯蔵器から容器に導入するための輸送機器を有する。前記オーバフローは貯蔵器に連結される。噴霧化アウトプット（ｏｕｔｐｕｔ）および平均液滴大きさは少なくとも１回の処理周期の間に少なくともほぼ一定に維持される。
【００１７】
好ましくは、各場合、超音波膜を通して、噴霧化された水性消毒剤用容器の出口を形成する少なくとも１つの煙突は過度に大型な液滴が装置から排出されないようにするために容器に属する。
【００１８】
場合に応じ、特定領域、面積などを消毒および／または脱臭することができるように、噴霧化された水性消毒剤用容器の出口を形成し、またその末端がノズルを場合に応じて備える伸縮性チューブは前記容器に属することが好ましい。
【発明を実施するための形態】
【００１９】
本発明は、例示的な実施様態を参照してより詳しく説明されることができ、選択された例は自動車インテリアおよび空調装置の消毒を提供する。消毒または脱臭は、例えば、ＣＡＳ  ３７４５７２−９１−５、ＣＡＳ  ５７０２８−９６−３、ＣＡＳ  ２７０８３−２７−８、ＣＡＳ  ３２２８９−５８−０（ＰＨＭＢ）などのような水性ポリマー性消毒剤が用いられることを意味する。このような方式により、本発明による装置は自動車インテリアにおいて本発明による方法の利用のために設置される。容器内に前記消毒剤を有する装置は、場合に応じてそれを加熱し、また前記膜は流体表面下で僅かなセンチメートルで振動し始めて活性成分の排出が所望の通りに実施されるようにする。前記溶液は少なくとも１つのファンによって前記装置から上昇して付加的に支持される。
【００２０】
自動車内の空調装置を消毒するために、前記空調装置は中間位置において活性化し、この時、空調装置のチャネル全部は互いに連結される。この例において、数分後、前記空調装置を再び消し、また排出された前記溶液は自動車の室内で均一に分布され、またこの場合に表面を濡らす。自動車において十分に高い活性成分密度である場合、前記装置は遮断（ターンオフ）される。相応する作用時間後、自動車は空調装置を通してまた車両ドアおよび／または窓を開くことによって十分に換気される。前記装置は再び除去される。
【００２１】
特に室内消毒のために、１０μｍ未満の平均液滴大きさを有する霧状のポリマー含有活性成分を有する水性消毒剤を超音波技術によって室内に排出する装置は、水性消毒剤を収容する容器、水性消毒剤を噴霧化する２個の超音波膜、および前記噴霧化された水性消毒剤をミストを通して室内に排出するファンを含む。容器、超音波膜およびファンは共有ハウジング（ｓｈａｒｅｄ  ｈｏｕｓｉｎｇ）式で配列される。
【００２２】
前記容器は前記水性消毒剤の最大充填高さを制限するオーバフローを有し、これはライン（ｌｉｎｅ）を通して水性消毒剤用貯蔵器に通じる。前記貯蔵器からの水性消毒剤は供給導管を通して輸送機器によって容器に導入される。輸送速度は、少なくとも噴霧化された消毒剤の量が各時点で交替される方式でコントローラーを介して予め設定される。前記装置を通じた消毒剤の循環が好ましい。消毒剤の温度制御のために、加熱器および温度センサが貯蔵器に提供されている。
【００２３】
噴霧化された水性消毒剤用容器の出口を形成し、また各超音波膜上にある煙突は前記容器に属する。前記噴霧化された消毒剤は追加のファンを用いて室内に分布される。